(57)【特許請求の範囲】
【請求項１】
医療用特に歯科用カメラであって、これは使用者の手で保持できるように適合された先端部に撮影手段を有する縦長のケーシング（２）を備え、このケーシング（２）は使用者が選んだ影像をディスプレイ手段（５）に静止化するに適した使用者が操作する電子パイロッティング回路（８）と金属ペレット（６）と静電気発泡要素（１４）とから構成されるセンシティブタイプのコントロール手段を備え、これらのコントロール手段は、前記ケーシング（２）に位置する検知帯域（９）を備え、該帯域は、不連続面の窪みまたは突部（１１）により画定されていて；
前記ケーシング（２）には、前記電子パイロッティング回路（８）、前記金属ペレット（６）および前記静電気発泡要素（１４）が内蔵されており、
前記検知帯域（９）の直下の前記ケーシング（２）の内面の帯域に前記静電気発泡要素（１４）の一方の端面が対面し、前記静電気発泡要素（１４）の他方の端面は、
前記金属ペレット（６）に対面して配設され、前記金属ペレット（６）は前記電子パイロッティング回路（８）に設けられていることを特徴とする前記カメラ。
【請求項２】
前記静電気発泡要素（１４）が、前記ケーシング（２）の内面の帯域と前記金属ペレット（６）の間の位置にあるときは、前記静電気発泡要素（１４）は前記位置にないときより厚さが圧縮された状態にあることを特徴とする請求項１のカメラ。
【請求項３】
前記金属ペレット（６）と接触する前記発泡要素（１４）は前記金属ペレット（６）よりも大なる表面を有することを特徴とする請求項１または２のカメラ。
【請求項４】
前記金属ペレット（６）と接触する前記発泡要素（１４）の部分の抵抗率が前記発泡要素の中央部分の抵抗率よりも大であることを特徴とする請求項１乃至３のいずれか一項のカメラ。
【請求項５】
前記ケーシング（２）の内面と接触する前記発泡要素（１４）の部分の抵抗率が、前記発泡要素の中央部分の抵抗率よりも小であることを特徴とする請求項１乃至４のいずれか一項のカメラ。
【請求項６】
前記発泡要素（１４）の抵抗率が５ＭΩ・ｃｍより小さい請求項１乃至５のいずれか一項のカメラ。
【請求項７】
圧縮前の前記発泡要素（１４）の厚みが５ｍｍ台であり、前記ケーシング（２）の内面に接触する前記発泡要素の部分の抵抗率は３００ｋΩ・ｃｍ台であり、その対向面の抵抗率は３０００ｋΩ・ｃｍ台であり、最先端層間の発泡要素（１４）の中央部分の抵抗率は１５００ｋΩ・ｃｍ台である請求項１乃至６のいずれか一項のカメラ。
【発明の詳細な説明】
【技術分野】
【０００１】
この発明は、医療用、特に歯科で使用のカメラに関するものである。
【０００２】
医療領域、そしてさらに特に歯科領域においては、マイクロカメラが知られており、これらのレンズは、ハンドピースの端部にあり、これは、本体部分にコントロールノブがあって、これで写したものをスイッチオフしたり、特定の影像イメージを捉えるようになっている。
【０００３】
このようなマイクロカメラは、特に影像を”静止化（フリーズ）”する必要がある用途に使用されるとき、使用者の足で操作される特殊のペダルによってコントロールされる。実際に、このようなタイプの用途においては、カメラに固定のコントロールノブを単純に動作させるが、リリーズをゆるやかに行ってしまい、カメラ振れが生じ、“静止化”が望ましかった影像を不鮮明なものにしてしまうことが見受けられる。現在、このペダル制御のタイプのものが数多くの器具、特に口腔外科に使用されているが、このようなコントロールが増えて施術者にとり厄介なことになっている。
【０００４】
さらに、使用者の指を物理的に動かす必要がない別の形式のリリースコントロールが知られており、これらは、例えば、使用者の指によって生じる電界に作用する容量または誘電センサ類によって特に構成されているセンシティブタイプのコントロールである。
【０００５】
影像の“静止化”を確実にするために歯科用カメラにおける、そのようなコントロール類の使用における問題点の一つは、触って位置が分かる在来のコントロールノブに対し、センシティブコントロール類は、施術者が目で見ることによってしか位置が分からない点で、これは、このことは、施術を行う領域に目視による注意を集中しなければならない場合に不適なことである。
【０００６】
これが特許出願ＦＲ０２１５０１４の提案理由であって、この出願は前記カメラの本体外面にクレスト（突部）または窪みを形成する不連続面の帯域を設けることを提案しており、ここに垂直にセンシティブセンサを配置し、そのやや上流側にある検知領域に使用者の指がしっかりおけるようにしているもので、その指を少し動かすことで、検知をはじめ、この結果適切なコントロールが行われるようになることが理解できる。
【０００７】
センシィティブタイプのコントロールシステムは、通常、支持回路に配置されたセンサ（一般に金属ペレット）と電子手段からなる。ここで証明されている点は、色々な理由のため、特にスペースの条件、前記カメラのグローバルなデザイン、カメラ本体の審美性、または前記支持回路の各種の部品の存在により、形状によっては、前記センサと関連の前記電子回路とを前記カメラの内面に接触するように配置することができない場合がある。そこで現在知られていることは、前記センサが使用者の指を正確に反復して検知することが望ましいとき、前記センサを前記検知帯域のすぐ近くで前記本体の内壁に対し配置するために前記センサから前記電子回路を離すことが考えられない点である。実際に、そのような場合にこれら二つの要素の間に設けられたコードリンクは、前記リンクコードが前記センサと一体なり、それらの位置と長さが検知に影響を与える限り結果的に検知位置の精度と正しい反復性を損ねてしまう。
【０００８】
この発明の目的は、前記センサとその支持回路を検知帯域から離す一方、このセンサが前記帯域のすぐ近くに配置されていれば得られる精度品質と反復性を保つようにする手段を提供することである。
【０００９】
かくて、この発明は、その目的のために、医療用特に歯科用カメラを有し、これは、使用者の手で保持できるように適合された先端に撮影手段を有する縦長のケーシングを備え、このケーシングは、使用者が選んだ影像をディスプレイ手段（モニター）に静止化するに適した使用者が操作するセンシティブタイプのコントロール手段を備え、これらのコントロール手段は、前記ケーシングに位置する検知帯域を備え、該帯域は、不連続面の窪みまたは突起により画定されていて、前記ケーシングは、電子パイロッティング回路と金属ペレットおよび静電気発泡要素を内蔵し、該発泡要素の一方の端面は、前記金属ペレットに対面し、その他方の端面は、前記検知帯域の直下に配置され前記ケーシングの内面の帯域に対面していることを特徴とするものである。
【００１０】
前記静電気発泡要素は、前記ケーシングの内面と前記金属ペレットの間の位置にあるとき、前記位置にないときより厚さが圧縮された状態になる。
【００１１】
さらに、この発明の変形実施例においては、前記ケーシングにおける前記金属ペレットの支持回路の位置決めを容易にするため、前記金属ペレットに接触している前記発泡要素の一部を該金属ペレットの面よりも広い面にでき、この場合、この部分の抵抗率を前記発泡要素の中央部分の抵抗率よりも高いものにすることができる。さらに、前記ケーシングの内面に接触している発泡要素の部分の抵抗率を前記発泡要素の中央部分の抵抗率よりも低くできる。前記発泡要素の抵抗率は、５ＭΩ・ｃｍ以下であることが好ましい。
【００１２】
この発明の実施例を添付の図面を参照しながら限定されない例で以下に記載する。
【００１３】
図１から図３は、歯科用カメラ１を示すもので、これは、断面が実質的に楕円形状の縦長の本体２から構成され、先端部４に撮影レンズがあり、他方の端部にコード７があって、このコードは、モニター（ディスプレイ手段）５に映し出される影像を供給し、管理する電子手段３につながっている。
【００１４】
この発明によれば、このカメラ１は、使用者が影像をモニター５に“静止化させる”、即ち、影像を静止させるコントロール手段を備えている。このコントロール手段は、プリント回路（電子パイロッテイング回路）８と金属ペレット６とケーシング２に作られた不連続面帯域をもつ。
【００１５】
この不連続面帯域は、Ｃ形状をしている前記カメラの先端部４に向けて開放され、本体２の上面よりも僅かに突き出ている突部１１により形成されている。前記突部１１は、使用者がカメラ１を保持したとき、使用者の指１２の自然な動きにおける帯域９（検知帯域９という）の上流、即ち、図２の矢印Ｖの方向に配置されている。
【００１６】
プリント回路８が本体２に内蔵されていて、これが、金属ペレットにより形成されたセンシティブセンサ６を支持すると共に一方では前記センサの方向のファンクションを管理し、他方では、連続して検知する機能、即ち影像の“静止化”を制御するようになっている種々の電子部品を支持している。
【００１７】
この発明によれば、金属ペレット６と検知帯域９の直下にある本体内面の部分の間に所謂静電気タイプ、即ち、５ＭΩ・ｃｍより小さい抵抗率をもつ導電性発泡体の発泡要素１４を配置することが提案されている。このような構成により、検知帯域９の直下の前記カメラの内面に対して金属ペレット６の感知性帯域をある程度“オフセット”することにより前記問題を解決することが可能になる。この発泡体は、金属ペレット６の容量特性を伝播するに十分な導電性をもち、前記金属ペレットそれ自体を構成するかのような挙動をしないような十分な低い導電性をもつように構成されている。
【００１８】
理解される点は、この発明がこのようなカメラのデザインと製造に関しての容易性をもつ点である。実際に、一方では、前記金属ペレットが検知帯域から離れていて、中心からそれている点でデザイナーに自由度を与える一方、他方では、組立が容易である。
【００１９】
図４に示す実施例では、プリント回路８と、これに伴う発泡要素１４の位置決めの容易さが改善されていて、発泡要素の底部寸法が金属ペレット６の寸法よりも大きくなっている。このようなこの発明の実施例においては、プリント回路８の上面に発泡体の下面が接触するとき、発泡体の下面により発生する回路短絡の危険をなくすために、発泡体１４の下面の抵抗率がその中心部の抵抗率よりも高くなるようになっている。
【００２０】
かくして、図４に示したこの発明の特定の実施例においては、円形で、直径６ｍｍのオーダーの金属ペレット６が用いられると共に発泡要素は、シリンドリカルな形状で、直径が８ｍｍに等しく、高さが非圧縮状態で５ｍｍのものであって、この発泡要素は、組立後、厚さが２．５ｍｍになる。上部層と下部層の抵抗率がそれぞれ３００ｋΩ・ｃｍおよび３０００ｋΩ・ｃｍである静電気発泡体を選ぶことで、前記カメラの本体の内面に対し施された回路８についている金属ペレット６の配置においては、精度が良く信頼性が高い検知が得られる。
【００２１】
このような条件のもとで、この発明によるカメラが以下述べるように使用される。カメラ１を正しく位置させて、使用者は、その指の１本、例えば、親指１２を前記カメラの本体２にのせ、ストッパ（突部）１１に当たるまで動かす。このポイントで、使用者は、使用者の親指を同じ方向Ｖに向けさらに動かすことで金属ペレット６により検知された作用が所望の操作を終了させることを知る。理解されるべき点は、使用者の指を本体２の表面にそって動かすことで、前記表面をこするようになり、在来の形式のスイッチにおけるように垂直に押すものではないから、この動きは、カメラ１が突然偏ってしまうようなことをしないものである。
【図面の簡単な説明】
【００２２】
【図１】この発明によるカメラの斜視図。
【図２】図１に示したカメラの長さ方向の一部断面図。
【図３】図２のＩＩ−ＩＩ線に沿う図１に示したカメラの断面図。
【図４】この発明よるカメラの変形例の長さ方向の一部断面図。
【符号の説明】
【００２３】
１    カメラ
２    縦長の本体（ケーシング）
３    影像の供給、管理の電子手段
４    先端部
５    モニター（ディスプレイ手段）
６    金属ペレット
７    コード
８    プリント回路（電子パイロッティング回路）
９    検知帯域
１１  突部
１２  使用者の親指
１４  発泡要素
【図１】
0004847948.tif 000002
【図２】
0004847948.tif 000003
【図３】
0004847948.tif 000004
【図４】
0004847948.tif 000005